【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
補正条件を用いて画像データを補正する補正手段と、
前記補正手段により補正された画像データに基づいて記録媒体に画像を形成する画像形成手段と、
前記画像形成手段によって前記記録媒体に形成された測定用画像を読取装置が読み取ることによって当該読取装置から出力された読取データを取得する取得手段と、
前記画像形成手段により形成される前記画像の濃度を調整するための画像形成条件を、前記画像形成手段によって前記記録媒体に形成された第１測定用画像に対応する第１読取データに基づいて決定する決定手段と、
前記記録媒体に対応する変換条件を用いて、前記読取データを濃度データに変換する変換手段と、
前記変換手段により前記読取データから変換された前記濃度データに基づいて、前記補正条件を生成する第１生成手段と、
特定の記録媒体に対応する第１変換条件を記憶した記憶手段と、
前記画像形成手段に、前記特定の記録媒体に第２測定用画像を形成させ、前記特定の記録媒体と異なる他の記録媒体に第３測定用画像を形成させ、前記取得手段により取得された前記第２測定用画像に対応する第２読取データと、前記取得手段により取得された前記第３測定用画像に対応する第３読取データと、前記記憶手段に記憶された前記第１変換条件とに基づいて、前記他の記録媒体に対応する第２変換条件を生成する第２生成手段と、
前記画像形成手段により形成される前記第２測定用画像、及び、前記第３測定用画像の最大濃度が、前記決定手段により決定された前記画像形成条件を用いて前記画像形成手段により形成される前記画像の最大濃度よりも高くなるように、前記画像形成手段が前記第２測定用画像および前記第３測定用画像を形成するときの画像形成条件を制御する制御手段と、を有し、
前記第１変換条件は、前記特定の記録媒体上の前記測定用画像の読取データを、前記特定の記録媒体上の前記測定用画像の濃度データに変換するために使用され、
前記第２変換条件は、前記他の記録媒体上の前記測定用画像の読取データを、前記特定の記録媒体上の前記測定用画像の濃度データに変換するために使用されることを特徴とする画像形成装置。
【請求項２】
前記制御手段は、前記画像形成手段により形成された前記第２測定用画像、及び、前記第３測定用画像の濃度が、前記決定手段により決定された前記画像形成条件を用いて前記画像形成手段により形成される前記画像の濃度よりも高くなるように、前記第２測定用画像、及び、前記第３測定用画像を形成する際に使用される前記画像形成手段の帯電電位を制御することを特徴とする請求項１に記載の画像形成装置。
【請求項３】
前記制御手段は、前記画像形成手段により形成された前記第２測定用画像、及び、前記第３測定用画像の濃度が、前記決定手段により決定された前記画像形成条件を用いて前記画像形成手段により形成される前記画像の濃度よりも高くなるように、前記第２測定用画像、及び、前記第３測定用画像を形成する際に使用される前記画像形成手段の露光強度を制御することを特徴とする請求項１に記載の画像形成装置。
【請求項４】
前記制御手段は、前記画像形成手段により形成された前記第２測定用画像、及び、前記第３測定用画像の濃度が、前記決定手段により決定された前記画像形成条件を用いて前記画像形成手段により形成される前記画像の濃度よりも高くなるように、前記第２測定用画像、及び、前記第３測定用画像を形成する際に使用される前記画像形成手段の現像電位を制御することを特徴とする請求項１に記載の画像形成装置。
【請求項５】
前記補正条件は、前記画像形成手段により形成される画像の階調特性を補正するテーブルであることを特徴とする請求項１ないし４のいずれか一項に記載の画像形成装置。
【請求項６】
前記第２生成手段は、前記第２読取データと前記第３読取データとの差分と、前記第１変換条件とに基づいて前記第２変換条件を生成することを特徴とする請求項１ないし５のいずれか一項に記載の画像形成装置。
【請求項７】
前記画像形成装置は、受信手段により受信された画像データに基づく画像を記録媒体に形成するプリンタモードを有し、
前記制御手段は、前記画像形成手段により形成される前記第２測定用画像、及び、前記第３測定用画像の濃度が、前記プリンタモードの実行が指示された場合に前記画像形成手段により前記記録媒体上に形成される前記画像の濃度よりも高くなるように、前記画像形成手段が前記第２測定用画像および前記第３測定用画像を形成するときに使用する画像形成条件を制御することを特徴とする請求項１に記載の画像形成装置。
【請求項８】
前記画像形成装置は、読取装置から出力された読取データに基づく画像を記録媒体に形成するコピーモードを有し、
前記制御手段は、前記画像形成手段により形成される前記第２測定用画像、及び、前記第３測定用画像の濃度が、前記コピーモードの実行が指示された場合に前記画像形成手段により前記記録媒体上に形成される前記画像の濃度よりも高くなるように、前記画像形成手段が前記第２測定用画像および前記第３測定用画像を形成するときに使用する画像形成条件を制御することを特徴とする請求項１に記載の画像形成装置。
【手続補正２】
【補正対象書類名】明細書
【補正対象項目名】０００５
【補正方法】変更
【補正の内容】
【０００５】
本発明は、たとえば、
補正条件を用いて画像データを補正する補正手段と、
前記補正手段により補正された画像データに基づいて記録媒体に画像を形成する画像形成手段と、
前記画像形成手段によって前記記録媒体に形成された測定用画像を読取装置が読み取ることによって当該読取装置から出力された読取データを取得する取得手段と、
前記画像形成手段により形成される前記画像の濃度を調整するための画像形成条件を、前記画像形成手段によって前記記録媒体に形成された第１測定用画像に対応する第１読取データに基づいて決定する決定手段と、
前記記録媒体に対応する変換条件を用いて、前記読取データを濃度データに変換する変換手段と、
前記変換手段により前記読取データから変換された前記濃度データに基づいて、前記補正条件を生成する第１生成手段と、
特定の記録媒体に対応する第１変換条件を記憶した記憶手段と、
前記画像形成手段に、前記特定の記録媒体に第２測定用画像を形成させ、前記特定の記録媒体と異なる他の記録媒体に第３測定用画像を形成させ、前記取得手段により取得された前記第２測定用画像に対応する第２読取データと、前記取得手段により取得された前記第３測定用画像に対応する第３読取データと、前記記憶手段に記憶された前記第１変換条件とに基づいて、前記他の記録媒体に対応する第２変換条件を生成する第２生成手段と、
前記画像形成手段により形成される前記第２測定用画像、及び、前記第３測定用画像の最大濃度が、前記決定手段により決定された前記画像形成条件を用いて前記画像形成手段により形成される前記画像の最大濃度よりも高くなるように、前記画像形成手段が前記第２測定用画像および前記第３測定用画像を形成するときの画像形成条件を制御する制御手段と、を有し、
前記第１変換条件は、前記特定の記録媒体上の前記測定用画像の読取データを、前記特定の記録媒体上の前記測定用画像の濃度データに変換するために使用され、
前記第２変換条件は、前記他の記録媒体上の前記測定用画像の読取データを、前記特定の記録媒体上の前記測定用画像の濃度データに変換するために使用されることを特徴とする画像形成装置を提供する。